(57)【要約】【課題】冷媒等の流体の流れを阻害することなく、流体中の水分の存在を迅速かつ正確に確認することが可能なサイトグラスを提供する。【解決手段】冷媒Ｃの流入口２ａと流出口２ｂとを有し、内部に流入口２ａから流出口２ｂに至る流路２ｄを有する本体２と、本体２の上部開口２ｃを覆うガラス６と、冷媒Ｃ中の水分を検出するモイスチャーインジケータ３と、流路２ｄの一側に配置され、モイスチャーインジケータ３を、その一部が冷媒Ｃ中に露出するとともに露出した部位がガラス６の本体２の内部に面する側に近接して対向した状態で支持する支持部材４、５とを備えるサイトグラス１等。モイスチャーインジケータ３及び支持部材４，５等は冷媒Ｃの移動を妨げることがないため圧損が小さく、冷媒Ｃ中の水分の存在を迅速かつ正確に確認することもできる。【選択図】図１
2011043249.tif 000002
【特許請求の範囲】
【請求項１】
流体の流入口と流出口とを有し、内部に前記流入口から前記流出口に至る流路を有する本体と、
該本体に穿設された開口を覆う透明部材と、
前記流体中の水分を検出するモイスチャーインジケータと、
前記本体内における前記流路を流れる流体の流れを阻害しない位置に配置され、前記モイスチャーインジケータを、その一部が前記流体中に露出するとともに該露出した部位が前記透明部材の前記本体内部に面する側に近接して対向した状態で支持する支持部材とを備えることを特徴とするサイトグラス。
【発明の詳細な説明】
【技術分野】
【０００１】
本発明は、サイトグラスに関し、特に、冷凍サイクルの冷媒中に存在する水分を検出するためなどに用いられるサイトグラスに関する。
【背景技術】
【０００２】
従来、冷凍サイクルの冷媒中に水分が存在すると圧縮機の破損に繋がる虞があるため、冷媒中の水分を検出するモイスチャーインジケータを収容したサイトグラスが用いられている。
【０００３】
上記サイトグラスは、冷凍回路の配管路の途中に設置され、例えば、図５に示すように、配管２２、２３と、本体２４と、ガラス２５と、柱状部材２７によって支持されたモイスチャーインジケータ２８とを備えている。モイスチャーインジケータ２８は、接触した冷媒Ｃ中の水分により変色し、モイスチャーインジケータ２８の色をガラス２５を通して視認することにより、水分の存在を確認することができる。また、このサイトグラス２１のガラス２５を介して、水分だけでなく、冷媒Ｃの状態を直接目視で確認することもできる。
【０００４】
また、図６に示すように、モイスチャーインジケータ３８を直接ガラス３５に固定部材３７によって固定したサイトグラス３１も存在する。このサイトグラス３１では、モイスチャーインジケータ３８の下面３８ａが本体内を流れる冷媒Ｃに接触し、徐々に水分による影響が上面３８ｂに現れ、変色した上面３８ｂを視認して水分の存在を確認する。
【発明の概要】
【発明が解決しようとする課題】
【０００５】
しかし、図５に示したサイトグラス２１で冷媒Ｃの状態を観察すると、モイスチャーインジケータ２８を固定する柱状部材２７がサイトグラス２１内を流れる冷媒Ｃの流れを阻害し、圧損が大きくなるなどの不具合があった。
【０００６】
一方、図６に示したサイトグラス３１では、モイスチャーインジケータ３８の下面３８ａから変色が開始し、視認可能な上面３８ｂが変色するまでに時間が掛かり、水分の存在を迅速かつ正確に確認することができないという問題があった。
【０００７】
そこで、本発明は、上記従来の技術における問題点に鑑みてなされたものであって、冷媒等の流体の流れを阻害することなく、流体中の水分の存在を迅速かつ正確に確認することも可能なサイトグラスを提供することを目的とする。
【課題を解決するための手段】
【０００８】
上記目的を達成するため、本発明は、サイトグラスであって、流体の流入口と流出口とを有し、内部に前記流入口から前記流出口に至る流路を有する本体と、該本体に穿設された開口を覆う透明部材と、前記流体中の水分を検出するモイスチャーインジケータと、前記本体内における前記流路を流れる流体の流れを阻害しない位置に配置され、前記モイスチャーインジケータを、その一部が前記流体中に露出するとともに該露出した部位が前記透明部材の前記本体内部に面する側に近接して対向した状態で支持する支持部材とを備えることを特徴とする。
【０００９】
そして、本発明によれば、本体内における流路を流れる流体の流れを阻害しない位置に配置された支持部材が、モイスチャーインジケータを、その一部が流体中に露出するとともに露出した部位が透明部材の本体内部に面する側に近接して対向した状態で支持するため、圧損等の不具合が生じることがなく、流体中の水分の存在を迅速かつ正確に確認することができる。
【発明の効果】
【００１０】
以上のように、本発明によれば、流体の流れを阻害することなく、流体中の水分の存在を迅速かつ正確に確認することも可能なサイトグラスを提供することができる。
【図面の簡単な説明】
【００１１】
【図１】本発明にかかるサイトグラスの一実施の形態を示す全体断面図である。
【図２】図１のサイトグラスのモイスチャーインジケータ及びその支持部材を示す分解斜視図である。
【図３】図２の各部材を組み立てた状態を示す斜視図である。
【図４】図３に示した組立体を本体の上部開口に装着した状態を示す図であって、（ａ）は上面図、（ｂ）は（ａ）のＢ−Ｂ線断面図、（ｃ）は（ａ）のＣ−Ｃ線断面図である。
【図５】従来のサイトグラスの一例を示す断面図である。
【図６】従来のサイトグラスの他の例を示す断面図である。
【発明を実施するための形態】
【００１２】
次に、本発明を実施するための形態について図面を参照しながら詳細に説明する。尚、以下の説明においては、本発明にかかるサイトグラスを、冷凍サイクルの冷媒中に存在する水分を検出するために用いる場合を例にとって説明する。
【００１３】
図１は、本発明にかかるサイトグラスの一実施の形態を示し、このサイトグラス１は、内部を冷媒Ｃが通過する本体２と、冷媒Ｃ中の水分を検知するモイスチャーインジケータ３と、モイスチャーインジケータ３を挟持する第１及び第２支持部材４、５と、本体２の上部開口２ｃに装着されたガラス（透明部材）６と、ガラス６を本体２に装着するためのガラス取付部材７とを備え、配管１１、１２の間に配置される。
【００１４】
本体２の流入口２ａ及び流出口２ｂには、各々配管１１、１２が接続され、本体２内には、流入口２ａから流出口２ｂに至る冷媒Ｃの流路２ｄが形成される。この本体２の上部は開口され、上部開口２ｃを覆うように、ガラス６がガラス取付部材７によって上方開口２ｃの周辺に保持される。
【００１５】
モイスチャーインジケータ３は、図２に示すように、円板状の紙等からなり、接触した冷媒Ｃ中の水分により変色し、モイスチャーインジケータ３の色をガラス６を通して視認することにより、水分の存在を確認することができる。
【００１６】
第１支持部材４は、モイスチャーインジケータ３を下方から支持するために備えられ、本体２の上部開口２ｃの縁部に載置するための鍔部４ａと、円筒状部４ｂと、円筒状部４ｂの下端部に位置する環状部４ｃと、環状部４ｃの２箇所を直径方向に繋ぐように配置されたリブ４ｄと、リブ４ｄの中央に位置し、モイスチャーインジケータ３を収容するための凹部４ｅとを備える。凹部４ｅを挟んだ両側の部分は開口４ｆ、４ｇとなっている。
【００１７】
第２支持部材５は、第１支持部材４の凹部４ｅに収容したモイスチャーインジケータ３を上方から押圧して挟持するために備えられ、帯板状部５ａと、帯板状部５ａの中央に位置し、下方に突出する椀状部５ｂと、椀状部５ｂの中央に穿設された開口５ｃとを備える。
【００１８】
上記構成及び寸法を有するモイスチャーインジケータ３、第１支持部材４及び第２支持部材５を組み立てるには、第１支持部材４の凹部４ｅにモイスチャーインジケータ３を収容し、第２支持部材５の椀状部５ｂをモイスチャーインジケータ３に当接させるようにして、第１支持部材４の貫通孔４ｈと第２支持部材５の下方に突出する突部５ｅが嵌合するように第１支持部材４に第２支持部材５を装着する。これにより、図３に示すように、第１支持部材４の下部中央部にモイスチャーインジケータ３が第１支持部材４及び第２支持部材５によって挟持され、モイスチャーインジケータ３の上面３ａが第２支持部材５の開口５ｃを介して露出した状態で支持される。
【００１９】
図４は、図３のようにして組み立てた組立体を本体２の上部開口２ｃに装着し、その上にガラス取付部材７によってガラス６を装着した状態を示す。このように、ガラス６の本体２の内部に面する側に近接して対向した状態でモイスチャーインジケータ３が支持されるため、冷媒Ｃが第１支持部材４の開口４ｆ、４ｇを通過してモイスチャーインジケータ３の上面３ａに直接接触することができ、ガラス６を介してモイスチャーインジケータ３の上面３ａの色を観察することで、水分の存在を確認することができる。
【００２０】
また、図４（ｂ）及び図１に明示されるように、モイスチャーインジケータ３を、第１及び第２支持部材４、５とともに、流路２ｄの一側において本体２の上部開口２ｃに設けたガラス６に近接して対向した状態で配置したため、これらの組立体全体を本体２の上端部に集約することができ、冷媒Ｃの流れを阻害することもない。よって、圧損が小さく、モイスチャーインジケータ３が冷媒によって流される虞もないので、信頼性が高い。また、第１及び第２支持部材４、５は、極めて簡単な構成で、例えばプレス加工により安価に製造することができる。
【００２１】
尚、上記実施の形態においては、本発明にかかるサイトグラスを、冷凍サイクルの冷媒中に存在する水分を検出するために用いる場合を例示したが、他の用途に用いられる流体中の水分の検出にも適用することもできる。
【符号の説明】
【００２２】
１  サイトグラス
２  本体
２ａ  流入口
２ｂ  流出口
２ｃ  上部開口
２ｄ  流路
３  モイスチャーインジケータ
３ａ  上面
４  第１支持部材
４ａ  鍔部
４ｂ  円筒状部
４ｃ  環状部
４ｄ  リブ
４ｅ  凹部
４ｆ  開口
４ｇ  開口
４ｈ  貫通孔
５  第２支持部材
５ａ  帯板状部
５ｂ  椀状部
５ｃ  開口
５ｅ  突部
６  ガラス
７  ガラス取付部材
１１  配管
１２  配管
Ｃ  冷媒
【図１】
2011043249.tif 000003
【図２】
2011043249.tif 000004
【図３】
2011043249.tif 000005
【図４】
2011043249.tif 000006
【図５】
2011043249.tif 000007
【図６】
2011043249.tif 000008